(57)【要約】【課題】他の電子音楽装置との接続状態に応じた音楽信号を送信することができ、出力ポート数の少ない安価なマイコンを使用することができる電子音楽装置を提供すること。【解決手段】この電子音楽システムでは、電子音楽装置ＥＭ１は、同一の音楽情報を伝送形式の異なる第１及び第２信号で他の電子音楽装置ＥＭ２に出力可能であり、各信号をそれぞれ出力するための第１及び第２出力端子Ｔｏ１，Ｔｏ２を備えている。第１信号を第２電子音楽装置ＥＭ２に伝送する第１ケーブルＣＢ１と第１出力端子Ｔｏ１の接続状態が検出されると（ＳＥＬ＝Ｈｉ）、第１系列を有効として第１出力信号（専用線信号）を出力し、接続状態でない場合には（ＳＥＬ＝Ｌｏｗ）第２系列を有効として第２信号（ＭＩＤＩ信号）を出力する。第１ケーブルＣＢ１に電圧供給機能を有するケーブルを使用し、第１ケーブルＣＢ１の電圧＋Ｖを感知することにより接続状態を検出することができる。【選択図】図１
2007316266.tif 000002
【特許請求の範囲】
【請求項１】
同一の音楽情報を伝送形式の異なる第１及び第２系列の信号で他の電子音楽装置に出力可能な電子音楽装置であって、
第１及び第２系列の信号をそれぞれ出力するための第１及び第２出力手段と、
第１系列の信号を他の電子音楽装置に伝送する伝送媒体が第１出力手段に対して接続状態であるか否かを検出する接続検出手段と、
接続状態であることが検出された場合は第２系列の信号の出力を無効とする出力制御手段と
を具備することを特徴とする電子音楽装置。
【請求項２】
前記伝送媒体は、他の電子音楽装置からの電圧を供給する機能を有し、
前記接続検出手段は、上記伝送媒体により供給される電圧を感知することにより前記接続状態を検出する
ことを特徴とする請求項１に記載の電子音楽装置。
【請求項３】
前記接続検出手段は、さらに、接続状態でないことが検出された場合には、第１系列の信号の出力を無効とし、第２系列の信号の出力を有効とすることを特徴とする請求項１に記載の電子音楽装置。
【発明の詳細な説明】
【技術分野】
【０００１】
この発明は、同一の音楽情報を伝送形式の異なる複数系列の信号で出力可能な電子音楽装置とこれらの信号を受信しその音楽情報を利用可能な他の電子音楽装置とを備えた電子音楽システムに関する。
【背景技術】
【０００２】
従来より、電子鍵盤装置やペダル装置と音源モジュール装置、電子楽器と音源情報処理機能を有するパーソナルコンピュータ等の２つの電子音楽装置間において、同一機能乃至内容を持った同一の音楽情報を伝送形式の異なる複数系列の信号で送受することができるシステムがある。例えば、非特許文献１に記載された電子楽器（「電子ピアノキーボード」）では、ＭＩＤＩ端子とシリアル端子（ TO HOST端子）を設けると共にスライド式の切替スイッチ（ホストセレクトスイッチ）を設け、ＭＩＤＩ端子又はシリアル端子をＭＩＤＩケーブル又は電子楽器専用の伝送形式に従った専用線ケーブル（ CCJ-PC2）でパーソナルコンピュータのＭＩＤＩ端子又はシリアル端子に接続し、接続された端子に対応する位置（ PC2又はMIDI位置）に切替スイッチをセットすることにより、音楽データをＭＩＤＩ信号又は専用線信号でパーソナルコンピュータと送受することができる。
【非特許文献１】「Ｃｌａｖｉｎｏｖａ（クラビノーバ）ＣＶＰ−２０９／２０７取扱説明書」（２００１年  ヤマハ株式会社発行）第１５４〜１５５頁
【０００３】
しかしながら、ユーザがスイッチの切替えを忘れることがあったり、ケーブル接続に該当する切替え位置をユーザが把握していなければならないためスイッチ切替え上の誤設定が生じることが多く、また、電子楽器内には、少なくとも、音楽データをＭＩＤＩ信号又は専用線信号でそれぞれ送信するための２出力ポートを備えた高価なマイクロコンピュータを備えておく必要がある。
【発明の開示】
【発明が解決しようとする課題】
【０００４】
この発明は、このような事情に鑑み、電子音楽装置から同一の音楽情報を伝送形式の異なる複数系列の信号で他の電子音楽装置に出力可能なシステムにおいて、受信側の他の電子音楽装置では複数系列の信号伝送媒体が接続された際の混乱を避けることができ、送信側の電子音楽装置においては、出力切替スイッチを使用することなく、他の電子音楽装置との接続状態に応じた信号で音楽情報を送ることができ、出力ポート数の少ない安価なマイクロコンピュータを使用することができる技術を提供することを目的とする。
【課題を解決するための手段】
【０００５】
この発明の主たる特徴に従うと、同一の音楽情報を伝送形式の異なる第１及び第２系列の信号で他の電子音楽装置（ＥＭ２：ＥＭ２ａ〜ＥＭ２ｄ）に出力可能な電子音楽装置（ＥＭ１：ＥＭ１ａ〜ＥＭ１ｄ）であって、第１及び第２系列の信号をそれぞれ出力するための第１及び第２出力手段（Ｔｏ１，Ｔｏ２）と、第１系列の信号を他の電子音楽装置（ＥＭ２）に伝送する伝送媒体（ＣＢ１）が第１出力手段（Ｔｏ１）に対して接続状態であるか否か（Ｈｉ，Ｌｏｗ）を検出する接続検出手段（３；Ｓ１）と、接続状態であることが検出された場合は（Ｓ１→ＹＥＳ；ＳＥＬ＝Ｈｉ）第２系列の信号の出力を無効とする（Ｓ２）出力制御手段（１，４）とを具備する電子音楽装置〔請求項１〕が提供される。なお、括弧書きは、理解の便のために付記した実施例の参照記号、用語、箇所等を表わし、以下においても同様である。
【０００６】
この発明による電子音楽装置において、伝送媒体（ＣＢ１）は、他の電子音楽装置（ＥＭ２）からの電圧を供給する機能を有し、接続検出手段（３；Ｓ１）は、伝送媒体（ＣＢ１）により供給される電圧（＋Ｖ）を感知することにより接続状態（Ｈｉ）を検出する〔請求項２〕ように構成することができる。
【０００７】
また、この発明による電子音楽装置において、出力制御手段（１，４）は、さらに、接続状態でないことが検出された場合には（Ｓ１→ＮＯ：ＳＥＬ＝Ｌｏｗ）、第１系列の信号の出力を無効とし、第２系列の信号の出力を有効とする（Ｓ３）〔請求項３〕ように構成することができる。
【発明の効果】
【０００８】
この発明の主たる特徴による電子音楽システムでは〔請求項１〕、電子音楽装置（ＥＭ１：ＥＭ１ａ〜ＥＭ１ｄ）は、同一の音楽情報を伝送形式の異なる第１及び第２系列の信号で出力することができ、第１又は第２系列の各信号が、夫々の伝送形式に応じて、第１又は第２出力手段（Ｔｏ１，Ｔｏ２）から第１又は第２伝送媒体（ＣＢ１，ＣＢ２）を通じて他の電子音楽装置（ＥＭ２：ＥＭ２ａ〜ＥＭ２ｄ）に送信される。出力制御手段（１，４）は、接続検出手段（３）により第１伝送媒体（ＣＢ１）と第１出力手段（Ｔｏ１）の接続状態が検出されると（Ｓ１→ＹＥＳ；ＳＥＬ＝Ｈｉ）、出力制御手段（１，４）は、第２系列を無効化して第１系列の信号を出力可能とする（Ｓ２）。従って、この発明によれば、第１伝送媒体の接続に応じて第２系列の信号出力を無効とし、他の電子音楽装置では、複数系列の信号伝送媒体が接続された際の混乱を避けることができる。
【０００９】
この発明による電子音楽装置においては、第１伝送媒体（ＣＢ１）は、他の電子音楽装置（ＥＭ２）からの電圧を供給する機能を有し、接続検出手段（３；Ｓ１）は、伝送媒体（ＣＢ１）により供給される電圧（＋Ｖ）を感知することにより接続状態（Ｈｉ）を検出する〔請求項２〕。従って、この発明によれば、伝送媒体の供給電圧を検出するだけの簡単な構成で接続状態を検出すると共に、供給電圧を電源に利用することができる。
【００１０】
また、この発明による電子音楽装置においては、出力制御手段（１，４）は、さらに、接続状態でないことが検出されると（Ｓ１→ＮＯ；ＳＥＬ＝Ｌｏｗ）第１系列の信号出力を無効化して第２系列の信号を出力可能とする（Ｓ３）〔請求項３〕。従って、この発明によれば、出力切替スイッチを使用することなく、第１伝送媒体の接続状態に応じて適切な何れかの系列の信号で音楽情報を他の電子音楽装置に送ることができ、出力ポート数の少ない安価なマイクロコンピュータを使用することができる。
【発明を実施するための最良の形態】
【００１１】
以下、図面を参照しつつ、この発明の好適な実施の形態について詳述するが、これは単なる一例であって、この発明の精神を逸脱しない範囲で種々の変更が可能である。
【００１２】
〔電子音楽装置の概要〕
図１は、この発明の一実施例による電子音楽システムの概要を説明するための図である。この電子音楽システムは、第１電子音楽装置から音楽データを出力する際の機能ブロック図を表わす図１（１）に示すように、第１電子音楽装置ＥＭ１及び第２電子音楽装置ＥＭ２から成る。両電子音楽装置ＥＭ１，ＥＭ２間は、同一の機能乃至内容を持つ音楽情報を伝送形式の異なる複数系列の信号で送受可能であり、第１電子音楽装置ＥＭ１で生成された音楽データを第１伝送形式に従う第１ケーブルＣＢ１又は第２伝送形式に従う第２ケーブルＣＢ２の何れかを通じて第２電子音楽装置に送ることができる。また、各電子音楽装置は、例えば、第１電子音楽装置ＥＭ１をペダル鍵盤装置（ＥＭ１ａ）で構成し、第２電子音楽装置ＥＭ２を電子楽器本体（ＥＭ２ａ）で構成することができる。
【００１３】
第１電子音楽装置ＥＭ１は、ＣＰＵ部と呼ばれるデータ処理部１、操作部２、接続検出部３、及び、図示の出力インターフェース部４を含む入出力インターフェース等を備え、出力インターフェース部４は第１及び第２送信部を有する。ＣＰＵ部（データ処理部）１は、中央処理装置（ＣＰＵ）を主体にして構成され、ランダムアクセスメモリ（ＲＡＭ）、読出専用メモリ（ＲＯＭ）、入出力（Ｉ／Ｏ）ポート等から成り、ＲＯＭに格納された所定の制御プログラムに従い操作部２の操作に基づきＲＡＭの一時記憶機能を利用して所定の音楽データ処理を実行し、第１又は第２伝送形式の何れかに適した音楽データを出力ポートから出力インターフェース部４に出力することができる。また、電源部（電圧レギュレータ）５は、商用整流電源又はバッテリ等の外部電源から得られる安定化した直流電圧（＋Ｖｏ）を第１電子音楽装置ＥＭ１の各部に電力を供給する。
【００１４】
出力インターフェース部４の第１及び第２送信部は、ＣＰＵ部１からの出力切替指令に応じて何れか一方が動作可能となり、動作時には、それぞれ、ＣＰＵ部１からの音楽データを第１及び第２伝送形式で送信するための第１及び第２出力信号を発生する。第１及び第２送信部に夫々接続される第１及び第２出力端子Ｔｏ１，Ｔｏ２には、それぞれ、第１及び第２伝送形式に基づく第１及び第２ケーブルＣＢ１，ＣＢ２の一端を接続することができ、両ケーブルＣＢ１，ＣＢ２の他端は、それぞれ、第２電子音楽装置ＥＭ２の第１及び第２入力端子Ｔｉ１，Ｔｉ２に接続することができる。第２電子音楽装置ＥＭ２は、第１電子音楽装置ＥＭ１と同様に、ＣＰＵ部（データ処理部）、操作部、入出力インターフェース等を備えており、第１又は第２送信部で発生された第１又は第２出力信号は、第１又は第２出力端子Ｔｏ１，Ｔｏ２から第１又は第２ケーブルＣＢ１，ＣＢ２を通じて第２電子音楽装置ＥＭ２に送られ、第１又は第２入力端子Ｔｉ１，Ｔｉ２で受信された第１又は第２出力信号の音楽データは第２電子音楽装置ＥＭ２で利用される。
【００１５】
この場合、第１電子音楽装置ＥＭ１の接続検出部３は、第２電子音楽装置ＥＭ２の第１入力端子Ｔｉ１に接続された第１ケーブルＣＢ１が第１電子音楽装置ＥＭ１の第１出力端子Ｔｏ１に接続されている状態にあるか否かを検出し、非接続状態のときは状態“Ｌｏｗ”の選択指令信号（セレクタ信号）ＳＥＬを生成し、接続状態のときは状態“Ｈｉ”の選択指令信号ＳＥＬを生成して、生成された選択指令信号ＳＥＬをＣＰＵ部１に送る。
【００１６】
ＣＰＵ部１は、選択指令信号ＳＥＬを受けると、選択指令信号ＳＥＬの内容（Ｈｉ／Ｌｏｗ）に応じて、第１伝送形式に適合した第１フォーマットの音楽データ又は第２伝送形式に適合した第２フォーマットの音楽データを生成すると共に、当該フォーマットの音楽データを第１又は第２伝送形式の何れで伝送するか（第１又は第２出力端子Ｔｏ１，Ｔｏ２の何れから送信させるか）を指令する第１又は第２出力切替指令を生成し、当該音楽データ及び出力切替指令を含む出力データを出力インターフェース部４に送る。
【００１７】
そして、出力インターフェース部４の第１又は第２信号送信部は、ＣＰＵ部１からの出力データに含まれる第１又は第２出力切替指令により送信動作が可能となり、それぞれ、出力データに含まれる第１又は第２フォーマットの音楽データを第１又は第２伝送形式で送信するための第１又は第２信号を第１又は第２出力端子Ｔｏ１，Ｔｏ２に出力する。
【００１８】
上述のように第１電子音楽装置ＥＭ１をペダル鍵盤装置で構成し第２電子音楽装置ＥＭ２を電子楽器（本体）で構成した例について、より詳しく説明する。この構成例では、第１伝送形式に専用線伝送形式を採用し、第２伝送形式にはＭＩＤＩ伝送形式を採用する。これに伴い、第１及び第２ケーブルＣＢ１，ＣＢ２には専用線ケーブル及びＭＩＤＩケーブルが用いられ、ＭＩＤＩ伝送形式及び専用線伝送形式で出力信号を送ることができる。なお、専用線伝送形式は、出力信号をシリアル伝送で送信すると共に送信先ＥＭ２から送信元ＥＭ１に電源を供給する機能を持たせたペダル鍵盤装置ＥＭ１及び電子楽器ＥＭ２に専用の高速伝送形式であり、専用線伝送形式の実現に必要な両機器ＥＭ１，２の装備や専用線ケーブルＣＢ１は、当該各機器の製造／販売元により提供される。
【００１９】
ペダル鍵盤装置（第１電子音楽装置）ＥＭ１の操作部２は、ユーザ（演奏者）の足で演奏操作されるペダル鍵盤やエクスプレッシヨンペダル等を演奏操作子として備え、ペダル操作の検出内容に対応して、所定音高ノートのオン／オフやエクスプレッシヨン等を表わす演奏情報をＣＰＵ部１に導入する。ＣＰＵ部１は、ペダル演奏データ処理を実行するマイクロコンピュータ（マイコン）として機能し、この演奏情報に基づいて、接続検出部３からの選択指令信号ＳＥＬの内容に応じた所定フォーマットのペダル演奏データを生成し、対応する出力切替指令と共に出力インターフェース部４に出力することができる。
【００２０】
例えば、電子楽器（第２電子音楽装置）ＥＭ２の第１入力端子Ｔｉ１に接続された専用線ケーブルＣＢ１が第１出力端子Ｔｏ１に接続されている接続状態のときは（ＳＥＬ＝Ｈｉ）、専用線出力切替指令（第１出力切替指令）及び専用線フォーマット（第１フォーマット）のペダル演奏データ（専用線データ）を含む出力データを生成し、当該専用線ケーブルＣＢ１が第１出力端子Ｔｏ１に接続されていない非接続状態のときは（ＳＥＬ＝Ｌｏｗ）、ＭＩＤＩ出力切替指令（第２出力切替指令）とＭＩＤＩフォーマット（第２フォーマット）のペダル演奏データ（ＭＩＤＩデータ）を含む出力データを生成する。
【００２１】
出力インターフェース部４の専用線又はＭＩＤＩ送信部は、ＣＰＵ部１からの専用線又はＭＩＤＩ出力切替指令により送信動作が可能となり、それぞれ、ＣＰＵ部１からの専用線又はＭＩＤＩデータを専用線又はＭＩＤＩ伝送形式で送信するための専用線又はＭＩＤＩ信号を第１又は第２出力端子Ｔｏ１，Ｔｏ２に出力する。
【００２２】
電子楽器ＥＭ２は、楽音信号を生成するための楽音生成部（音源部）やサウンドシステムを備えており、操作部には、ユーザ（演奏者）の手で演奏操作される上部鍵盤が演奏操作子として備えられている。電子楽器ＥＭ２では、入出力インターフェースの第１又は第２入力端子Ｔｉ１，Ｔｉ２から入力される専用線又はＭＩＤＩ信号が、入力インターフェース部及びＣＰＵ部で楽音生成部での楽音信号生成に適したペダル演奏データに変換され、変換されたペダル演奏データは、上部鍵盤の演奏操作に基づく上部鍵盤演奏データと共に楽音生成部に与えられ、両演奏データに基づき楽音生成部で生成された楽音信号によって、対応する楽音がサウンドシステムから発生される。
【００２３】
図１（２）は、第１電子音楽装置の接続検出回路の一例を表わす図である。上述の構成例のように、電源供給機能を有する伝送形式の第１ケーブルＣＢ１で第１電子音楽装置ＥＭ１を第２電子音楽装置ＥＭ２に接続する場合、第１電子音楽装置ＥＭ１の接続検出部３には、図１（２）に示す接続検出回路のように、第１ケーブルＣＢ１に現われる第２電子音楽装置ＥＭ２からの電源供給電圧を検出するだけの簡単な構成により、第２電子音楽装置ＥＭ２の第１入力端子Ｔｉ１に接続された第１ケーブルＣＢ１が第２電子音楽装置ＥＭ１の第１出力端子Ｔｏ１に接続されている状態にあるか否かを検出することができる。
【００２４】
上述の構成例の場合、図１（２）において、ペダル鍵盤装置（第１電子音楽装置）ＥＭ１の第１出力端子Ｔｏ１に専用線ケーブル（第１ケーブル）ＣＢ１が接続されると、「Ｅ−ｂｕｓ」と呼ばれる同ケーブルの電圧供給母線を通じて第２電子音楽装置ＥＭ２からの電源電圧（＋Ｖ）が供給され、抵抗Ｒ１，Ｒ２で適度に分圧される。トランジスタＴｒは、この分圧電圧により流れるベース電流によってスイッチング動作を行い、ランジスタＴｒがオンすると、トランジスタＴｒのエミッタとエミッタ抵抗Ｒ３の接続点が高電位（Ｈｉ）になり、同接続点に接続されたＣＰＵ部１の選択指令信号（ＳＥＬ）入力ポートに高電位を与える。ＣＰＵ部１は、当該入力ポートが高電位になったことに応じて、専用線データ（音楽データ）及び専用線出力切替指令を生成し、当該専用線データ及び専用線出力切替指令を含むデータを出力ポートから出力インターフェース部４へと出力する。
【００２５】
ＣＰＵ部１からの出力データを受けた出力インターフェース部４は、専用線出力切替指令に応じて専用線送信部が能動化し、専用線送信部によって専用線データを専用線伝送形式の出力信号とした専用線信号を発生し第１出力端子Ｔｏ１に出力する。これにより、ペダル鍵盤装置ＥＭ１では、選択指令信号ＳＥＬが専用線ケーブルＣＢ１の接続（Ｈｉ）を示す場合は、専用線出力を有効としＭＩＤＩ出力を無効とすることができる。
【００２６】
一方、専用線ケーブルＣＢ１が接続されていない場合は、同ケーブルによる電圧供給がないのでトランジスタＴｒはオフし、ＣＰＵ部１の選択指令信号（ＳＥＬ）入力ポートが低電位（Ｌｏｗ）になる。ＣＰＵ部１は、当該入力ポートが低電位になったことに応じて、ＭＩＤＩデータ（音楽データ）及びＭＩＤＩ出力切替指令を生成し、当該ＭＩＤＩデータ及びＭＩＤＩ出力切替指令を含むデータを出力ポートから出力インターフェース部４へと出力する。そして、出力インターフェース部４は、ＭＩＤＩ出力切替指令に応じてＭＩＤＩ送信部が能動化し、ＭＩＤＩ送信部によりＭＩＤＩデータをＭＩＤＩ伝送形式の出力信号としたＭＩＤＩ信号を発生し第２出力端子Ｔｏ２に出力する。これにより、ペダル鍵盤装置ＥＭ１では、選択指令信号ＳＥＬが専用線ケーブルＣＢ１の非接続（Ｌｏｗ）を示す場合には、専用線出力を無効としＭＩＤＩ出力を有効とすることができる。
【００２７】
つまり、この電子音楽システムの要点は次のとおりである：第１電子音楽装置（例：ペダル鍵盤装置）ＥＭ１は、同一の音楽情報（例：ペダル演奏データ）を伝送形式の異なる第１及び第２系列の信号（例：専用線及びＭＩＤＩ信号）で第２電子音楽装置（例：電子楽器）ＥＭ２に出力可能であり、第１及び第２系列の信号をそれぞれ出力するための第１及び第２出力端子Ｔｏ１，Ｔｏ２を備えている。第１系列の出力信号（専用線信号）を第２電子音楽装置ＥＭ２に伝送する第１伝送媒体（専用線ケーブル）ＣＢ１と第１出力端子Ｔｏ１の接続状態（ＳＥＬ＝Ｈｉ）が検出されると、第１系列を有効として第１出力信号（専用線信号）を出力し、接続状態でない場合には（ＳＥＬ＝Ｌｏｗ）第２系列を有効として第２信号（ＭＩＤＩ）を出力する。第１伝送媒体ＣＢ１には、第２電子音楽装置ＥＭ２から電源電圧を供給する機能を有するケーブルを使用することができ、第１伝送媒体ＣＢ１による供給電圧＋Ｖを感知することにより接続状態Ｈｉを検出することができる。
【００２８】
〔電子音楽システムの一具体例とその利点〕
図２は、上述した構成例をこの電子音楽システムの「具体例１」としてその要点と利点を説明するための図である。すなわち、図２（１）は具体例１の要点を示し、（１Ａ）は具体例１において専用線ケーブルが接続されているときの状態を図示し、（１Ｂ）は具体例１におけるＣＰＵ部の特徴を図示したものであり、図２（２），（３）は、それぞれ、具体例１と対比するための比較例１，２の説明図である。また、図３は、具体例１における第１電子音楽装置（ペダル鍵盤装置）の動作を表わすフローチャートである。
【００２９】
図２（１）に示すこのシステムの具体例１では、既述のように、第１電子音楽装置ＥＭ１及び第２電子音楽装置ＥＭ２として夫々ペダル鍵盤装置ＥＭ１ａ及び電子楽器ＥＭ２ａを用いると共に、ペダル演奏データの送信に専用線及びＭＩＤＩケーブルＣＢ１，ＣＢ２を用い、専用線ケーブルＣＢ１の接続状態に応じてペダル演奏データを専用線又はＭＩＤＩの何れか一方の信号にてペダル鍵盤装置ＥＭ１ａから電子楽器ＥＭ２ａへと出力する。
【００３０】
すなわち、図３の動作フローに示すように、ペダル鍵盤装置ＥＭ１ａのＣＰＵ部１は、最初のステップＳ１で、接続検出部３からの選択指令信号ＳＥＬの内容を調べ、選択指令信号ＳＥＬが専用線ケーブルＣＢ１の接続（ＳＥＬ＝Ｈｉ）を示すときは（Ｓ１→ＹＥＳ）、ステップＳ２にて、専用線出力を有効とし、ＭＩＤＩ出力を無効とする。一方、選択指令信号ＳＥＬが専用線ケーブルＣＢ１の非接続（ＳＥＬ＝Ｌｏｗ）を示すときには（Ｓ１→ＮＯ）、ステップＳ３で、専用線出力を無効とし、ＭＩＤＩ出力を有効とする。
【００３１】
このように、具体例１では、ペダル鍵盤装置ＥＭ１ａのＣＰＵ部１は、ペダル演奏データを専用線又はＭＩＤＩ伝送形式の出力信号で電子楽器ＥＭ２ａに送信するために、図２（１Ｂ）に示すように、１つの出力ポートから専用線データ又はＭＩＤＩデータの何れか一方を切り替え出力する。従って、ＣＰＵ部１には、ペダル演奏データを２つの伝送形式で出力するのに１出力ポートを備えたマイクロコンピュータを用いることができる。
【００３２】
具体例１によると、図２（１Ａ）に実線で示すように、ペダル鍵盤装置ＥＭ１ａ及び電子楽器ＥＭ２ａ間を専用線ケーブルＣＢ１（実線）で接続しておけば、ＭＩＤＩケーブルＣＢ２の接続（破線）に拘わらず、電子楽器ＥＭ２ａから専用線ケーブルＣＢ１を通じてペダル鍵盤装置ＥＭ１ａに電源を供給することができる。すなわち、専用線ケーブルＣＢ１の接続中は、図１（２）に示すように、商用整流電源やバッテリ等の外部電源からダイオードＤ１を介して電圧レギュレータ４に電源電圧を供給する代わりに、専用線ケーブルＣＢ１からの電源電圧（＋Ｖ）をダイオードＤ２を介してレギュレータ４に供給するように設計することができ、これによって、商用電源を切り離したりバッテリ消費を防止することができる。また、専用線ケーブルＣＢ１を用いた専用線伝送形式により、ＭＩＤＩ伝送形式に比べてより高速の通信が可能となる。
【００３３】
さらに、電子楽器ＥＭ２ａにおいては、例えば、ＭＩＤＩデータを処理するために１６のＭＩＤＩチャネルＣＨ１〜１６が用意されているとすれば、専用線ケーブルＣＢ１を接続しておくと、ペダル鍵盤装置Ａから専用線ケーブルＣＢ１を通じて送られてくる専用線データは、別系列で処理され、ＭＩＤＩチャネルを専有しないので、ＭＩＤＩチャネルＣＨ１〜１６は全て電子楽器ＥＭ２ａ内のＭＩＤＩデータの処理に使用することができる。
【００３４】
これに対して、図２（２）に示される比較例１のように、専用線による第１入力端子を備えていない電子楽器Ｂにおいては、専用線ケーブルＣＢ１を接続することができない。このような電子楽器Ｂのために、ペダル鍵盤装置Ａは、ＭＩＤＩによる第２出力端子を備えていて、ＭＩＤＩケーブルＣＢ２を介して電子楽器Ｂと接続することができる。ＭＩＤＩケーブルＣＢ２を接続した場合、電子楽器Ｂでは、ＭＩＤＩケーブルＣＢ２を通じて送られてくるＭＩＤＩデータを処理するために、ＭＩＤＩチャネルＣＨ１〜１６の何れかにペダル鍵盤装置ＡからのＭＩＤＩデータを割り当てておく必要がある。また、ペダル鍵盤装置Ａには、常時、外部電源を供給しておく必要がある。
【００３５】
次に、図２（３）に示される比較例２のように、専用線及びＭＩＤＩケーブルＣＢ１，ＣＢ２が接続可能かつ第１及び第２出力端子の双方から並列に信号を出力可能なペダル鍵盤装置Ｃを使用して専用線ケーブルＣＢ１で電子楽器Ｄと接続し、電子楽器Ｄ自体で全ＭＩＤＩチャネルＣＨ１〜１６が使用されていたときに、更にＭＩＤＩケーブルＣＢ２を接続した場合は、電子楽器Ｄでは、図２（３Ａ）のように、ペダル鍵盤装置Ｃから、専用線ケーブルＣＢ１による専用線データに加えて、ＭＩＤＩケーブルＣＢ２を通じてＭＩＤＩデータが新たに送られてくるので、ＭＩＤＩチャネルＣＨ１〜１６の何れかのチャネルのデータにペダル鍵盤装置ＣからのＭＩＤＩデータが混入し、両データが混同してしまうという不具合が生じる。
【００３６】
本来、ペダル鍵盤装置Ｃと電子楽器Ｄとは専用線のみによる接続のみでよく、ＭＩＤＩ端子及びＭＩＤＩケーブルによる接続は不要であるが、図２（２）で説明したような専用線非対応の電子楽器Ｂのために、ペダル鍵盤装置Ｃは、ＭＩＤＩ端子及びＭＩＤＩケーブルによる接続手段を備えている。ここで、ユーザによっては専用線のみで接続すればよい旨を理解できておらず、専用線に加えてＭＩＤＩによる接続も同時に行ってしまう可能性があり得る。上述した混同は、このようなユーザによる想定外の接続がなされた場合に起こるものである。
【００３７】
さらに、比較例２のペダル鍵盤装置Ｃにおいては、図２（３Ｂ）のように、２つの出力ポートから夫々専用線データ及びＭＩＤＩデータを出力するＣＰＵ部Ｃ１を設ける必要がある。すなわち、出力ポートを２系列有する比較的高価なＣＰＵが必要となる。また、専用線データとＭＩＤＩデータを同時に送信しないようにするには、非特許文献１のように、操作部に出力切替スイッチを設け、このスイッチの切替操作に従ってＣＰＵ部Ｃ１の何れかの出力ポートからデータを出力するように構成する必要がある。
【００３８】
このように、図１で説明した構成例や図２（１）の具体例１で示すシステムのように専用線が繋がっているときにはＭＩＤＩ出力を禁止し専用線出力を優先して送信することにより、図２（２）、（３）で説明した種々の不都合を回避し、電源供給、高速通信、受信側のＭＩＤＩチャネルを専有しない等々、専用線接続のメリットを生かすことができる。
【００３９】
〔他の具体例〕
この電子音楽システムにおいて、第１及び第２電子音楽装置の種類や組合せ、並びに、両電子音楽装置間を接続する信号線（ケーブル）の種類や組合せは、第１電子音楽装置から同種の信号を第２電子音楽装置に出力するものであればどのようなものでもよく、この場合、優先させる伝送形式は伝送速度や利便性に応じて適宜設定すればよい。また、信号線（ケーブル）の接続検出方法は、図１（２）のように電源供給を検出する方法に限らない。例えば、ケーブル及び入出力端子に接続検出用信号線を備え、この接続検出用信号線からの信号を検出することで接続を検出してもよい。或いは、双方向通信が可能な伝送システムであれば、一方の装置から他方の装置へと接続有無のデータ信号を出力し、他方の装置から応答があれば接続と判断し、所定時間以内に応答がなければ接続されていないと判断することで、接続を検出してもよい。図４は、この発明の一実施例による電子音楽システムの他の具体例を示す。
【００４０】
図４（１）の具体例２では、第１及び第２電子音楽装置に夫々パーソナルコンピュータ（ＰＣ）ＥＭ１ｂ及び音源装置（トーンジェネレータＴＧ）ＥＭ２ｂが用いられ、両者ＥＭ１ｂ，ＥＭ２ｂ間を接続する第１及び第２ケーブルには夫々ＵＳＢケーブルＣＢ１及びＭＩＤＩケーブルＣＢ２が用いられる。パーソナルコンピュータＥＭ１ｂは、音楽情報処理機能を有し、例えば、ユーザはそのシーケンサプログラムに従ってノートデータを作成することができ、作成されたノートデータは、ＭＩＤＩケーブルＣＢ２のみの接続時にはＭＩＤＩ信号で音源装置ＥＭ２ｂに送られる。また、ＵＳＢケーブルＣＢ１が接続された時には、ＵＳＢケーブルＣＢ１の接続がＵＳＢ接続確認動作で検出され、ノートデータは、ＭＩＤＩケーブルＣＢ２が接続されているか否かに拘わらず、優先的に、ＵＳＢ伝送形式のＵＳＢ信号でＵＳＢケーブルＣＢ１を通じて音源装置ＥＭ２ｂに送られる。そして、音源装置ＥＭ２ｂでは、何れかの信号で送られてきたノートデータを楽音信号に変換し、対応する楽音を付属するサウンドシステム（図示せず）から発生させる。
【００４１】
図４（２）の具体例３では、第１及び第２電子音楽装置に夫々キーボード装置（ＫＢ）ＥＭ１ｃ及びパーソナルコンピュータ（ＰＣ）ＥＭ２ｃが用いられ、両装置ＥＭ１ｃ，ＥＭ２ｃ間を接続する第１及び第２ケーブルには夫々ＵＳＢケーブルＣＢ１及びＲＳ−２３２ＣケーブルＣＢ２が用いられる。例えば、キーボード装置ＥＭ１ｃにおいて鍵盤の演奏操作に基づき生成されたキーボード演奏データは、ＲＳ−２３２ＣケーブルＣＢ２のみの接続時にはＲＳ−２３２Ｃ伝送形式の信号でパーソナルコンピュータＥＭ２ｃに送られる。また、ＵＳＢケーブルＣＢ１が接続された時には、キーボード装置ＥＭ１ｃは、ＵＳＢケーブルＣＢ１からの電源供給によりＵＳＢケーブルＣＢ１の接続を検出し、キーボード演奏データは、ＲＳ−２３２ＣケーブルＣＢ２の接続の有無に拘わらず、優先的に、ＵＳＢ信号でＵＳＢケーブルＣＢ１を通じてパーソナルコンピュータＥＭ２ｃに送られる。そして、パーソナルコンピュータＥＭ２ｃでは、何れかの信号で送られてきたキーボード演奏データを外部記憶装置に記録したり、或いは、内蔵するソフトウエア音源により楽音信号に変換して対応する楽音を付属のサウンドシステムから発生させる。
【００４２】
図４（３）の具体例４では、第１及び第２電子音楽装置に夫々キーボード装置（ＫＢ）ＥＭ１ｄ及び高音質の音源装置（ＴＧ）ＥＭ２ｄが用いられ、両装置ＥＭ１ｄ，ＥＭ２ｄ間を接続する第１及び第２ケーブルには夫々ＵＳＢ及びＩＥＥＥ１３９４ケーブルＣＢ１，ＣＢ２が用いられる。例えば、キーボード装置ＥＭ１ｄで生成されたキーボード演奏データは、１３９４ケーブルＣＢ２のみの接続時にはＩＥＥＥ１３９４伝送形式の信号で音源装置ＥＭ２ｄに送られ、より汎用性の高いＵＳＢケーブルＣＢ１が接続された時には、ＵＳＢケーブルＣＢ１の接続がＵＳＢ接続確認動作で検出され、優先的にＵＳＢ信号でＵＳＢケーブルＣＢ１を通じて音源装置ＥＭ２ｄに送られる。音源装置ＥＭ２ｄでは、この演奏データを楽音信号に変換し付属サウンドシステムから高音質の楽音を発生させる。なお、高速性が優先的に要求される場合にはＵＳＢとＩＥＥＥ１３９４を逆にしてもよい。
【００４３】
なお、この発明は、図２（３）に示したような２系統の出力端子から同時に出力可能なＣＰＵ部即ち２ポート出力を有するマイクロコンピュータを採用した電子音楽装置にも適用することができる。この場合、第１ケーブル（例えば、専用線ケーブル）ＣＢ１の接続が検出されたときに第２出力端子からの信号（例えば、ＭＩＤＩ信号）出力を禁止するように構成すればよい。また、第１ケーブルＣＢ１の接続が検出されていないときは、第１出力端子からの信号（専用線信号）出力を禁止するようにしてもよいし、禁止せずに有効なままとしてもよい。これは、第１出力端子からの信号出力を有効なままとしても、第１ケーブルＣＢ１が接続されていないため、比較例２で説明したようなデータ混同の不具合は生じ得ないからである。
【図面の簡単な説明】
【００４４】
【図１】この発明の一実施例による電子音楽システムの概要説明図である。
【図２】この発明の一実施例による電子音楽システムの一具体例とその利点を説明するための図である。
【図３】この発明の一実施例による第１電子音楽装置の動作例を表わすフローチャートである。
【図４】この発明の一実施例による電子音楽システムの他の具体例を説明するための図である。
【符号の説明】
【００４５】
ＥＭ１：ＥＭ１ａ，ＥＭ１ｂ，ＥＭ１ｃ，ＥＭ１ｄ  第１電子音楽装置、
ＥＭ２：ＥＭ２ａ，ＥＭ２ｂ，ＥＭ２ｃ，ＥＭ２ｄ  第２電子音楽装置、
ＣＢ１，ＣＢ２  第１及び第２ケーブル（信号線）、
ＳＥＬ  選択指令信号。
【図１】
2007316266.tif 000003
【図２】
2007316266.tif 000004
【図３】
2007316266.tif 000005
【図４】
2007316266.tif 000006